(57)【要約】【課題】高密度収納を図れる光ファイバ接続箱の提供。【解決手段】光ファイバケーブルＡの端部をケーブル把持器６で把持する。光ファイバケーブルＡの端部から延出するテープ心線βそれぞれの接続端と光コネクタとの間に設けられてテープ心線βから引き出される光ファイバ心線αそれぞれを連結用光ファイバ１１を介して光コネクタ２０に接続する。連結用光ファイバ１１の一部を平面的に配置した状態で樹脂シート１５により保持する。光コネクタ２０をアダプタ８の連結部８ａに連結する。連結用光ファイバ１１と樹脂シート１５とアダプタ８とを筐体２に収納し、さらにケーブル把持器６を筐体２に固定する。以上の構成を備えた光ファイバ接続箱１において、樹脂シート１５を筐体２の内側面や筐体２内に設ける収納板９に張着させる。【選択図】  図４
2005043406.tif 000002
【特許請求の範囲】
【請求項１】
複数の光ファイバ心線が一体化されてなるテープ心線を有する光ファイバケーブルから光ファイバ心線を分岐させて取り出したうえで、取り出した光ファイバ心線に光コネクタを接続し、さらに前記光コネクタを他の光コネクタに接続可能に保持してなる光ファイバ接続箱であって、
ケーブル把持器と、連結用光ファイバと、樹脂シートと、アダプタと、筐体とを備え、
前記ケーブル把持器は、前記光ファイバケーブルの端部を把持するものであり、
前記連結用光ファイバは、前記光ファイバケーブルの端部から延出させた前記テープ心線それぞれの接続端と前記光コネクタとの間に設けられておりかつ前記テープ心線から引き出された前記光ファイバ心線それぞれを前記光コネクタに接続するものであり、
前記樹脂シートは、前記連結用光ファイバの少なくとも一部を平面的に配置した状態で保持するものであり、
前記アダプタは、アダプタ一端に前記光コネクタが着脱自在に連結される連結部を有するとともに、アダプタ他端に前記他の光コネクタが着脱自在に連結される連結部を有し、これら両連結部に着脱自在に連結される前記光コネクタと前記他の光コネクタとを互いに接続するものであり、
前記筐体は、前記連結用光ファイバと前記樹脂シートと前記アダプタとを収納するとともに前記ケーブル把持器を固定するものであり、
かつ、前記樹脂シートを前記筐体の内側面に設ける、
ことを特徴とする光ファイバ接続箱。
【請求項２】
複数の光ファイバ心線が一体化されてなるテープ心線を有する光ファイバケーブルから光ファイバ心線を分岐させて取り出したうえで、取り出した光ファイバ心線に光コネクタを接続し、さらに前記光コネクタを他の光コネクタに接続可能に保持してなる光ファイバ接続箱であって、
ケーブル把持器と、連結用光ファイバと、樹脂シートと、収納器と、アダプタと、収納板と、筐体とを有し、
前記ケーブル把持器は、前記光ファイバケーブルの端部を把持するものであり、
前記連結用光ファイバは、前記光ファイバケーブルの端部から延出させた前記テープ心線それぞれの接続端と前記光コネクタとの間に設けられておりかつ前記テープ心線から引き出された前記光ファイバ心線それぞれを前記光コネクタに接続するものであり、
前記樹脂シートは、前記連結用光ファイバの少なくとも一部を平面的に配置した状態で保持するものであり、
前記収納器は、前記連結用光ファイバと前記テープ心線との間の接続部位を、この接続部位にそれぞれ接続される前記連結用光ファイバの端部と前記テープ心線の端部とともに収納するものであり、
前記アダプタは、アダプタ一端に前記光コネクタが着脱自在に連結される連結部を有するとともにアダプタ他端に前記他の光コネクタが着脱自在に連結される連結部を有し、これら両連結部に着脱自在に連結される前記光コネクタと前記他の光コネクタとを互いに接続するものであり、
前記収納板は、前記収納器が一面に設けられるものであり、
前記筐体は、前記連結用光ファイバと前記樹脂シートと前記アダプタと前記収納板とを収納するとともに前記ケーブル把持器を固定するものであり、
かつ、前記収納板の他面に前記樹脂シートを設ける、
ことを特徴とする光ファイバ接続箱。
【請求項３】
請求項２に記載の光ファイバ接続箱において、
前記連結用光ファイバを収納するもう一つの収納器を備え、このもう一つの収納器を前記樹脂シートとともに前記収納板の他面に設ける、
ことを特徴とする光ファイバ接続箱。
【請求項４】
請求項１ないし３のいずれかに記載の光ファイバ接続箱において、
前記連結用光ファイバは、
前記テープ心線の接続端における前記光ファイバ心線の配置ピッチと同ピッチで並列配置された複数の連結用光ファイバ心線を有しこれら連結用光ファイバ心線を一体化してなる連結用テープ心線部と、
前記連結用テープ心線部から分岐されて延出され先端に前記光コネクタが接続された連結用光ファイバ心線群と、
を備え、
前記樹脂シートは、前記連結用テープ心線部と前記連結用光ファイバ心線群との間の分岐部を保持するものである、
ことを特徴とする光ファイバ接続箱。
【請求項５】
複数の光ファイバ心線が一体化されてなるテープ心線を有する光ファイバケーブルから光ファイバ心線を分岐させて取り出したうえで、取り出した光ファイバ心線に光コネクタを接続し、さらに前記光コネクタを他の光コネクタに接続可能に保持してなる光ファイバ接続箱であって、
ケーブル把持器と、連結用光ファイバと、樹脂シートと、収納器と、アダプタと、筐体とを備え、
前記ケーブル把持器は、前記光ファイバケーブルの端部を把持するものであり、
前記連結用光ファイバは、前記光ファイバケーブルの端部から延出させた前記テープ心線それぞれの接続端と前記光コネクタとの間に設けられておりかつ前記テープ心線から引き出された前記光ファイバ心線それぞれを前記光コネクタに接続するものであり、
前記樹脂シートは、前記連結用光ファイバの少なくとも一部を平面的に配置した状態で保持するものであり、
前記収納器は、前記連結用光ファイバと前記テープ心線との間の接続部位を、この接続部位にそれぞれ接続された前記連結用光ファイバの端部と前記テープ心線の端部とともに収納するものであり、
前記アダプタは、アダプタ一端に前記光コネクタが着脱自在に連結される連結部を有するとともに、アダプタ他端に前記他の光コネクタが着脱自在に連結される連結部を有し、これら両連結部に着脱自在に連結される前記光コネクタと前記他の光コネクタとを互いに接続するものであり、
前記筐体は、前記連結用光ファイバと前記樹脂シートと前記収納器と前記アダプタとを収納するとともに前記ケーブル把持器を固定するものであり、
かつ、前記樹脂シートを、前記ケーブル把持器と前記収納器と前記アダプタと前記光コネクタとのうちの少なくとも一つと、前記筐体の収納面の高さ方向において重なる位置に配置する、
ことを特徴とする光ファイバ接続箱。
【請求項６】
請求項５に記載の光ファイバ接続箱において、
前記アダプタを前記筐体に連結する連結部をさらに有し、
前記樹脂シートを、前記ケーブル把持器と前記収納器と前記アダプタと前記光コネクタと前記連結部とのうちの少なくとも一つと、前記筐体の収納面の高さ方向において重なる位置に配置する、
ことを特徴とする光ファイバ接続箱。
【請求項７】
複数の光ファイバ心線が一体化されてなるテープ心線を有する光ファイバケーブルから光ファイバ心線を分岐させて取り出したうえで、取り出した光ファイバ心線に光コネクタを接続し、さらに前記光コネクタを他の光コネクタに接続可能に保持してなる光ファイバ接続箱であって、
ケーブル把持器と、連結用光ファイバと、樹脂シートと、アダプタと、筐体とを備え、
前記ケーブル把持器は、前記光ファイバケーブルの端部を把持するものであり、
前記連結用光ファイバは、前記光ファイバケーブルの端部から延出させた前記テープ心線それぞれの接続端と前記光コネクタとの間に設けられておりかつ前記テープ心線から引き出された前記光ファイバ心線それぞれを前記光コネクタに接続するものであり、
前記樹脂シートは、前記連結用光ファイバの少なくとも一部を平面的に配置した状態で保持するものであり、
前記アダプタは、アダプタ一端に前記光コネクタが着脱自在に連結される連結部を有するとともに、アダプタ他端に前記他の光コネクタが着脱自在に連結される連結部を有し、これら両連結部に着脱自在に連結される前記光コネクタと前記他の光コネクタとを互いに接続するものであり、
前記筐体は、前記連結用光ファイバと前記樹脂シートと前記アダプタとを収納するとともに前記ケーブル把持器を固定するものであり、
かつ、前記連結用光ファイバは、
並列配置された複数の連結用光ファイバを備えこれら連結用光ファイバを一体化してなる連結用テープ心線部と、
前記連結用テープ心線部から分岐されたうえで、先端に前記光コネクタが接続された連結用光ファイバ心線群と、
を備え、
前記樹脂シートは、前記連結用テープ心線部と前記連結用光ファイバ心線群との間の分岐部を保持し、
前記樹脂シートから延出する前記連結用光ファイバ心線群の出線方向Ｘと、前記接続部の光コネクタ挿入方向Ｙとが成す角度∠ＸＹが、１３５度≦∠ＸＹ≦１８０度となるように、前記樹脂シートと前記アダプタとを前記筐体内に配置する、
ことを特徴とする光ファイバ接続箱。
【発明の詳細な説明】
本発明は、光ファイバ接続箱に関する。
【０００１】
【従来の技術】
従来から、光ファイバケーブルを光ファイバコードまたは光ファイバケーブルに分岐接続するためＯＬＥ＿ＬＩＮＫ１に、光ファイバ接続箱ＯＬＥ＿ＬＩＮＫ１が用いられる。光ファイバ接続箱においては、箱の一端から引き込まれた光ファイバケーブルは、光ファイバ心線ごとに分岐されたのち、箱の他端から引き込まれた分岐用光ファイバコードまたは光ファイバケーブルに光コネクタ接続や融着接続などの手法によって接続される。
【０００２】
光ファイバ接続箱においては、光ファイバケーブルと分岐用光ファイバコードまたは他の光ファイバケーブルとは直接接続されるのではなく次のようにして接続される。すなわち、光ファイバケーブルと分岐用光ファイバコードまたは他の光ファイバケーブルとの間に連結用光ファイバを設け、この連結用光ファイバの一端に光ファイバケーブルを、他端に分岐用光ファイバコードまたは他の光ファイバケーブルをそれぞれ接続することで、両者の接続が実施される。光ファイバ接続箱は、連結用光ファイバが収納される構造となっている。（特許文献１参照）
【０００３】
【特許文献１】
実開平７−１６９０２号公報
【０００４】
【発明が解決しようとする課題】
しかしながら、このようにして光ファイバケーブルと分岐用光ファイバコードや他の光ファイバケーブルとを接続する光ファイバ接続箱においては、光ファイバ接続箱内における連結用光ファイバやその接続部位の収納効率が十分に高いとはいえず、このことが高密度収納を妨げる要因となっていた。
【０００５】
したがって、本発明の課題は、高密度収納を図ることができる光ファイバ接続箱を提供することである。
【０００６】
【課題を解決するための手段】
上述した課題を達成するために本発明の各発明は、複数の光ファイバ心線が一体化されてなるテープ心線を有する光ファイバケーブルから光ファイバ心線を分岐させて取り出したうえで、取り出した光ファイバ心線に光コネクタを接続し、さらに前記光コネクタを他の光コネクタに接続可能に保持してなる光ファイバ接続箱において、次の構成を備える。
【０００７】
本発明の第１は、
・前記光ファイバケーブルの端部を把持するケーブル把持器と、
・前記光ファイバケーブルの端部から延出させた前記テープ心線それぞれの接続端と前記光コネクタとの間に設けられて前記テープ心線から引き出された前記光ファイバ心線それぞれを前記光コネクタに接続する連結用光ファイバと、
・前記連結用光ファイバの少なくとも一部を平面的に配置した状態で保持する樹脂シートと、
・アダプタ一端に前記光コネクタが着脱自在に連結される連結部を有するとともに、アダプタ他端に前記他の光コネクタが着脱自在に連結される連結部を有し、かつこれら両連結部に着脱自在に連結される前記光コネクタと前記他の光コネクタとを互いに接続するアダプタと、
・前記連結用光ファイバと前記樹脂シートと前記アダプタとを収納するとともに前記ケーブル把持器を固定する筐体と、
を備える。
【０００８】
そして、
・前記樹脂シートを前記筐体の内側面に設ける。
【０００９】
これにより、本発明の第１は、樹脂シートを筐体に収納しても、筐体内の収納スペースが減少することがほとんどなく、その分、筐体内での部品の収納効率が向上する。
【００１０】
本発明の第２は、
・前記光ファイバケーブルの端部を把持するケーブル把持器と、
・前記光ファイバケーブルの端部から延出させた前記テープ心線それぞれの接続端と前記光コネクタとの間に設けられて前記テープ心線から引き出された前記光ファイバ心線それぞれを前記光コネクタに接続する連結用光ファイバと、
・前記連結用光ファイバの少なくとも一部を平面的に配置した状態で保持する樹脂シートと、
・前記連結用光ファイバと前記テープ心線との間の接続部位を、この接続部位にそれぞれ接続される前記連結用光ファイバの端部と前記テープ心線の端部とともに収納する収納器と、
・アダプタ一端に前記光コネクタが着脱自在に連結される連結部を有するとともに、アダプタ他端に前記他の光コネクタが着脱自在に連結される連結部を有し、かつこれら両連結部に着脱自在に連結される前記光コネクタと前記他の光コネクタとを互いに接続するアダプタと、
・前記収納器が一面に設けられる収納板と、
・前記連結用光ファイバと前記樹脂シートと前記アダプタと前記収納板とを収納するとともに前記ケーブル把持器を固定する筐体と、
を備える。
【００１１】
そして、
・前記収納板の他面に前記樹脂シートを設ける。
【００１２】
これにより本発明の第２は、樹脂シートを筐体に収納しても、筐体内の収納スペースが減少することがほとんどなく、その分、筐体内での部品の収納効率が向上する。
【００１３】
なお、前記連結用光ファイバを収納するもう一つの収納器を備え、このもう一つの収納器を前記樹脂シートとともに前記収納板の他面に設けるのが好ましい。そうすれば、さらに筐体内での部品の収納効率が向上する。
【００１４】
なお、前記連結用光ファイバとしては、例えば、次のように構成される。
・前記テープ心線の接続端における前記光ファイバ心線の配置ピッチと同ピッチで並列配置された複数の連結用光ファイバ心線を有しこれら連結用光ファイバ心線を一体化してなる連結用テープ心線部と、
・前記連結用テープ心線部から分岐されて延出され先端に前記光コネクタが接続された連結用光ファイバ心線群と、
を備える。
・前記樹脂シートは、前記連結用テープ心線部と前記連結用光ファイバ心線群との間の分岐部を保持するものとする。
【００１５】
以上のように構成すれば、並列ピッチが同一であるテープ心線と連結用テープ心線部とを、一度に機械的に融着接続することが可能となり、その分、接続作業の効率が向上する。
【００１６】
本発明の第３は、
・前記光ファイバケーブルの端部を把持するケーブル把持器と、
・前記光ファイバケーブルの端部から延出させた前記テープ心線それぞれの接続端と前記光コネクタとの間に設けられて前記テープ心線から引き出された前記光ファイバ心線それぞれを前記光コネクタに接続する連結用光ファイバと、
・前記連結用光ファイバの少なくとも一部を平面的に配置した状態で保持する樹脂シートと、
・前記連結用光ファイバと前記テープ心線との間の接続部位を、この接続部位にそれぞれ接続された前記連結用光ファイバの端部と前記テープ心線の端部とともに収納する収納器と、
・アダプタ一端に前記光コネクタが着脱自在に連結される連結部を有するとともに、アダプタ他端に前記他の光コネクタが着脱自在に連結される連結部を有し、かつこれら両連結部に着脱自在に連結される前記光コネクタと前記他の光コネクタとを互いに接続するアダプタと、
・前記連結用光ファイバと前記樹脂シートと前記収納器と前記アダプタとを収納するとともに前記ケーブル把持器を固定する筐体と、
を備える。
【００１７】
さらに、
・前記樹脂シートを、前記ケーブル把持器と前記収納器と前記アダプタと前記光コネクタとのうちの少なくとも一つと、前記筐体の収納面の高さ方向において重なる位置に配置する。
【００１８】
これにより本発明の第３は、樹脂シートが他の部品と重なって筐体に収納配置される分、筐体内での収納効率が向上する。
【００１９】
なお、
・前記アダプタを前記筐体に連結する連結部をさらに有し、
・前記樹脂シートを、前記ケーブル把持器と前記収納器と前記アダプタと前記光コネクタと前記連結部とのうちの少なくとも一つと、前記筐体の収納面の高さ方向において重なる位置に配置する、
のが好ましい。そうすれば、さらに収納効率が向上する。
【００２０】
本発明の第４は、
・前記光ファイバケーブルの端部を把持するケーブル把持器と、
・前記光ファイバケーブルの端部から延出させた前記テープ心線それぞれの接続端と前記光コネクタとの間に設けられて前記テープ心線から引き出された前記光ファイバ心線それぞれを前記光コネクタに接続する連結用光ファイバと、
・前記連結用光ファイバの少なくとも一部を平面的に配置した状態で保持する樹脂シートと、
・アダプタ一端に前記光コネクタが着脱自在に連結される連結部を有するとともに、アダプタ他端に前記他の光コネクタが着脱自在に連結される連結部を有し、かつこれら両連結部に着脱自在に連結される前記光コネクタと前記他の光コネクタとを互いに接続するアダプタと、
・前記連結用光ファイバと前記樹脂シートと前記アダプタとを収納するとともに前記ケーブル把持器を固定する筐体と、
を備える。
【００２１】
前記連結用光ファイバは、
・前記テープ心線の接続端における前記光ファイバ心線の配置ピッチと同ピッチで並列配置された複数の連結用光ファイバ心線を有しこれら連結用光ファイバ心線を一体化してなる連結用テープ心線部と、
・前記連結用テープ心線部から分岐されたうえで、先端に前記光コネクタが接続された連結用光ファイバ心線群と、
を備える。
【００２２】
前記樹脂シートは、
・前記連結用テープ心線部と前記連結用光ファイバ心線群との間の分岐部を保持する。
【００２３】
そして、
・前記樹脂シートから延出する前記連結用光ファイバ心線群の出線方向Ｘと、前記接続部の光コネクタ挿入方向Ｙとが成す角度∠ＸＹが、１３５度≦∠ＸＹ≦１８０度となるように、前記樹脂シートと前記アダプタとを前記筐体内に配置する。
【００２４】
これにより本発明の第４は、筐体内で連結用光ファイバ心線群をアダプタの連結部に連結する際に、図１２（ａ）に示すように、全ての連結用光ファイバ心線を、その接続のために必然的に生じるファイバ湾曲部位を１つとした状態で両者を接続することが可能となる。そのため、連結用光ファイバを筐体内で引き回すのに要するスペースを可及的に小さくすることができ、その分、筐体内での部品収納効率を向上させることが可能となる。さらには、ファイバ湾曲部位が最小限（１つ）となる分、筐体内における連結用光ファイバ心線群の引き回しの自由度が増し、連結用光ファイバ心線群を構成する連結用光ファイバの接続先（アダプタの接続部）を変更する際にも、その接続変更が容易になる。
【００２５】
本発明とは反対に、角度∠ＸＹが、０度≦∠ＸＹ＜１３５度となるように、前記樹脂シートと前記アダプタとを前記筐体内に配置した場合には、図１２（ｂ）に示すように、ファイバ湾曲部位が２つ以上形成された状態で各連結用光ファイバ心線がアダプタの接続部に接続されることになる。そうすると、連結用光ファイバを筐体内で引き回すのに要するスペースを大きくならざるを得ず、その分、筐体内での部品収納効率が悪化する。さらには、ファイバ湾曲部位が複数となる分、筐体内における連結用光ファイバ心線群の引き回しの自由度が低下し、連結用光ファイバの接続先（アダプタの接続部）を変更する際における接続変更が困難となる。
【００２６】
ファイバ湾曲部位が１つになる角度∠ＸＹの下限値を１３５度に設定しているのは次の理由による。樹脂シートから出線する連結用光ファイバ心線群は、構造上、並列配置された状態で出線される。また、アダプタの接続部も筐体内で並列配置される。このような構造を有するアダプタの接続部と連結用光ファイバ心線群とを接続する際において、連結用光ファイバ心線の接続相手（アダプタの接続部）を任意に変更する場合がある。このような接続変更を可能とするため、各連結用光ファイバ心線はある程度の余長を含んだ長さに設定される。そのため、図（ｃ）に示すように、角度∠ＸＹが１３５度を超えて９０度に近づく（図１２（ｃ）では９０度）と、並列方向で互いに離間している連結用光ファイバ心線とアダプタの接続部との間を接続する個所では、余分な余長が存在しないために、上記ファイバ湾曲部位は一つとなる。しかしながら、並列方向で互いに近接している連結用光ファイバ心線とアダプタの接続部との間を接続する個所では、余分な余長が存在するために、その余長部を吸収しようとして新たなファイバ湾曲部位が発生して、ファイバ湾曲部位の数が複数となる。これは、湾曲が可能となるファイバの曲率半径が比較的大きいために、一つのファイバ湾曲部位では余長部を吸収できないことに起因する。さらには、複数のファイバ湾曲部位を設けたとしても、湾曲が可能となるファイバの曲率半径が比較的大きいために、ファイバ余長部の長さをさらに長くしないと湾曲させることが不可能となる。このことも、ファイバ余長部の収納スペースが大きくなる要因となる。
【００２７】
これに対して、角度∠ＸＹが１３５度になると、並列方向で互いに近接している連結用光ファイバ心線とアダプタの接続部との間を接続する個所においても、発生する余分な余長部は、一つのファイバ湾曲部位によって吸収することが可能となり、ファイバ湾曲部位を一つのまま維持でき、さらには、ファイバ余長部の長さを必要最小限にしてファイバ余長部の収納スペースを小さくできる。
【００２８】
このように、連結用光ファイバ心線に設ける余長部が一つのファイバ湾曲部位で吸収可能となるか否かの判別を、湾曲可能となるファイバ曲率半径が比較的大きいという条件下で行うことによって、角度∠ＸＹの下限値は設定されており、その下限値が１３５度となる。
【００２９】
【発明の実施の形態】
第１の実施の形態
図１は、本発明の第１の実施形態の光ファイバ接続箱１の構成を示す概念図であり、図２と図３とはその平面図（断面図）であり、図４は図３のイ−イ線断面図である。図２と図３とは、互いに断面位置が異なる。
【００３０】
光ファイバ接続箱１の概略構成とその機能を図１を参照して説明する。光ファイバ接続箱１は、
・複数の光ファイバ心線αが一体化されたテープ心線βを有する光ファイバケーブルＡから光ファイバ心線αを分岐させて取り出す、
・取り出した各光ファイバ心線αに光コネクタ２０を接続する、
・光ファイバ心線αに接続した光コネクタ２０を他の光コネクタ２１に接続可能に保持する、
という機能を発揮する装置である。
【００３１】
このような接続機能を発揮するために、光ファイバ接続箱１は、連結用光ファイバ１１を備える。連結用光ファイバ１１は、光ファイバケーブルＡの端部から延出する光ファイバ心線αそれぞれの接続端と光コネクタ２０との間に設けられる。連結用光ファイバ１１は、テープ心線βから引き出される光ファイバ心線αそれぞれを光コネクタ２０に接続する複数本の光ファイバ心線から構成される。
【００３２】
具体的には、連結用ファイバ１１は連結用テープ心線部１２と連結用光ファイバ心線群１３とを備える。連結用テープ心線部１２は、複数本の連結用光ファイバ心線１１１〜ｎを有する。連結用光ファイバ心線１１１〜ｎはテープ心線βの総心線数（例えば４本）と同数設けられ、テープ心線βを構成する光ファイバ心線αの配置ピッチと同ピッチで並列配置される。本実施形態では、テープ心線βの心線数を４本として説明する。そのため、以下、連結用光ファイバ心線に符号１１１〜４を付す。連結用テープ心線部１２は、並列配置された連結用光ファイバ心線１１１〜４を樹脂被覆で一体化することで構成される。このように構成される連結用テープ心線部１２はテープ心線βに融着接続される。テープ心線βと連結用テープ心線部１２とは心線の並列ピッチが同一であるために、これらを、一度に機械的に融着接続することが可能となり、その分、接続作業の効率は向上する。図１では、融着接続部に符号γが付される。
【００３３】
連結用光ファイバ心線１１１〜４は、連結用テープ心線部１２から分岐されて延出される。連結用光ファイバ心線群１３は、連結用テープ心線部１２から分岐して延出する連結用光ファイバ心線１１１〜４により構成される。光コネクタ２０は連結用光ファイバ心線群１３を構成する各連結用光ファイバ心線１１１〜４の延出先端に連結されて接続される。
【００３４】
連結用テープ心線部１２は被覆樹脂により物理的に保護される。連結用光ファイバ心線群１３を構成する連結用ファイバ心線１１１〜４は、樹脂チューブ１４内を挿通することでこの樹脂チューブ１４により物理的に保護される。しかしながら、連結用テープ心線部１２と連結用光ファイバ心線群１３との間の分岐部位εにおいては、樹脂チューブ１４により物理的に保護されない部位が生じる。この部位は樹脂シート１５により被覆されて物理的に保護される。樹脂シート１５は、図５に示すように、２枚の薄層の樹脂シート材１５ａ，１５ｂを張着一体化することで構成されており、一体化される樹脂シート材１５ａ，１５ｂの間に、連結用テープ心線部１２から延出する連結用ファイバ心線１１１〜４の端部と、樹脂チューブ１４の端部とを挟持することで、分岐部位εを物理的に保護する。
【００３５】
以上の概略構成および機能を有する光ファイバ接続箱１の詳細構成を説明する。光ファイバ接続箱１は筐体２を備える。筐体２は、その主面の大きさ（縦×横寸法）に比べて高さ寸法が比較的小さい扁平な形状を有する。筐体２は収納箱３と蓋箱４とを備える。これら箱３，４は、筐体２をその主面に沿って２つに分断した形状を有しており、その開放面を対向させた状態で蝶番等によって連結されてもよい。
【００３６】
収納箱３にはケーブル把持器６が設けられる。ケーブル把持器６は、収納箱３の一側壁面３ａおよびその近傍の収納箱３内に配置される。ケーブル把持器６は光ファイバケーブルＡの接続端を把持するものであって、ケーブル把持部６ａとテンションメンバ把持部６ｂとを備える。ケーブル把持部６ａは光ファイバケーブルＡのケーブル外周部位を把持する。テンションメンバ把持部６ｂは、光ファイバケーブルＡ内にその長手方向に沿って収納されたテンションメンバ７を把持する。ケーブル把持部６ａは収納箱３の一側壁面３ａ付近に設けられ、一側壁面３ａの収納箱３に設けられた開口３ｂから挿入される光ファイバケーブルＡのケーブル外周を把持して筐体２に固定する構造となっている。テンションメンバ把持部６ｂは、ケーブル把持部６ａから若干離れて収納箱３内に設けられ、光ファイバケーブルＡの接続端から突出するテンションメンバ７の先端を把持して筐体２に固定する構造となっている。
【００３７】
収納箱３の一側壁面３ａ付近にアダプタ８が設けられる。アダプタ８は雌型連結部８ａを有する。雌型連結部８ａは雄型光コネクタが着脱自在に連結される構造を有する。雌型連結部８ａは複数設けられ、これら複数の雌型連結部８ａはそれぞれ対を成して配置される。対を構成する雌型連結部８ａ，８ａどうしは、アダプタ８の両端それぞれに互いに対向して配置される。対の雌型連結部８ａ，８ａは、各々に連結される雄型光コネクタを接続する構造となっている。アダプタ８は、対の雌型接続部８ａ，８ａそれぞれを収納箱３の内外に向けた状態で一側壁面３ａ付近に取り付けられる。収納箱３の一側壁面３ａには、収納箱３の外側に向けて配置される雌型連結部８ａを露出させる開口３ｃが形成される。
【００３８】
収納箱３の内部に収納板９が設けられる。収納板９は、収納箱３の収納面である底面（主面）に対して平行な状態で収納箱３の高さ方向中央付近に収納される。収納板９は蝶番１０により開閉自在に収納箱３に連結される。収納板９の上面９ａには、第１の収納器１６が設けられる。収納板９の下面９ｂには、第２の収納器１７が設けられる。
【００３９】
第１の収納器１６は、光ファイバケーブルＡから延出するテープ心線βの端部である余長部βａと、連結用テープ心線部１２の端部である余長部１２ａと、融着接続部γとを収納する構成を有する。第１の収納器１６は、両余長部βａ，１２ａを巻回させる巻回固定部１６ａと、融着接続部γを固定する弾性把持部１６ｂとを備える。巻回固定部１６ａは複数（本実施の形態では４つ）設けられており、これら複数の巻回固定部１６ａは、円周に沿って配置されて収納板９の上面９ａに載置固定される。両余長部βａ，１２ａは、これら巻回固定部１６ａに巻き付けられることで収納板９の上面９ａに収納される。弾性把持部１６ｂは、収納板９の上面９ａに載置固定される。弾性把持部１６ｂは、両余長部βａ，１２ａの配線方向に沿って位置する融着接続部γを弾性保持可能な位置（両余長部βａ，１２ａの巻回方向に沿った位置）に配置される。
【００４０】
第２の収納器１７は、連結用光ファイバ心線群１３の余長部１３ａを巻回させる巻回固定部１７ａを備える。巻回固定部１７ａは複数（本実施形態２では４つ）設けられる。巻回固定部１７ａは、巻回固定部１６ａと同様の構成を備えており、円周に沿って配置されて収納板９の下面９ｂに載置固定される。余長部１３ａは、これら巻回固定部１７ａに巻き付けられることで収納板９の下面９ｂに収納される。
【００４１】
収納板９の一側部には第１の切欠９ｃが形成される。第１の切欠９ｃと対向する収納板９の他側部には第２の切欠９ｄが形成される。
【００４２】
次に、テープ心線βを連結用ファイバ１１に接続する構造、および連結用ファイバ１１を筐体２に収納する構造について説明する。ケーブル把持部６ａ付近において光ファイバケーブルＡから引き出されて収納箱３内に入り込むテープ心線βの余長部βａは、第１の切欠９ｃから収納板９の上面９ａに引き入れられたのち、巻回固定部１６ａに巻回される。余長部βａの端部に設けられる融着接続部γは弾性把持部１６ｂにより弾性的に把持されて固定される。融着接続部γから引き出される連結用テープ心線部１２の余長部１２ａは、巻回固定部１６ａに巻回されたのち、第２の切欠９ｄから収納板９の下側に引き入れられる。余長部１２ａの端部に設けられる樹脂シート１５（分岐部ε）は収納箱３の他の側壁面３ｂの内面に張着される。樹脂シート１５を側壁面３ｂの内面に張着することで、樹脂シート１５を収納効率高く筐体２内に収納可能となる結果、樹脂シート１５は他の部材の収納の妨げとはならない。
【００４３】
樹脂シート１５から延出する連結用光ファイバ心線群１３の余長部１３ａ（各連結用ファイバ心線１１１〜４から構成される）は巻回固定部１７ａに巻回される。余長部１３ａ（連結用光ファイバ心線１１１〜４）の端部に設けられた光コネクタ２０は、アダプタ８の筐体内側に位置する雌型連結部８ａに連結される。これにより、光コネクタ２０は、アダプタ８を介して他の光コネクタ２１と接続可能な状態で光ファイバ接続箱１に保持されることになる。
【００４４】
第２の実施の形態
本実施形態の光ファイバ接続箱３０は、基本的に第１の実施の形態と同様の構成を備える。ただし、光ファイバ接続箱３０は、一つのアダプタ８を共有にした状態で、二つの光ファイバ接続箱１を一体化した構成を有する。第１の実施の形態は、光ファイバケーブルＡから引き出したテープ心線βの先端に取り付けた光コネクタ２０を、他の光コネクタ２１に接続する構造であった。これに対して、本実施の形態は、光ファイバケーブルＡ（以下、光ファイバケーブルＡ１という）から引き出したテープ心線βの先端に取り付けた光コネクタ２０と、もう一つの光ファイバケーブルＡ（以下、光ファイバケーブルＡ２という）から引き出したテープ心線βの先端に取り付けた光コネクタ２１とを、アダプタ８を介して接続する構造を備える。
【００４５】
以上の機能を発揮するため、光ファイバ接続箱３０は、図６〜図８に示すように、第１の接続箱構造３１Ａと、第２の接続箱構造３１Ｂとを備える。第１，第２の接続箱構造３１Ａ，３１Ｂは、アダプタ８を共有したうえで、筐体３２内に収納される。第１，第２の接続箱構造３１Ａ，３１Ｂは、アダプタ８を間にして左右対称の形で筐体３２内に配置される。第１，第２の接続箱構造３１Ａ，３１Ｂは基本的には同一の部品構成を備えており、その部品構成は、第１の実施の形態における光ファイバ接続箱１の部品構成と同様となっている。そのため、本実施の形態では、第１，第２の接続箱構造３１Ａ、３１Ｂを構成する各部品には、第１の実施の形態の光ファイバ接続箱１を構成する各部品と同様の符号を付し、それらについての詳細な説明は省略する。ただし、アダプタ８を除き、第１の接続箱構造３１Ａを構成する各部品に付された番号にはＡを追記し、第２の接続箱構造３１Ｂを構成する各部品に付された番号にはＢを追記し、これによって両者を区別する。
【００４６】
第２の実施の形態は、樹脂シート１５Ａ，１５Ｂの配置位置を、収納板９Ａ，９Ｂの下面９Ａｂ，９Ｂｂにすることに特徴を有する。これにより、樹脂シート１５Ａ，１５Ｂの収納性が向上して、光ファイバ接続箱３０の収納効率が高まる。
【００４７】
第３の実施の形態
本実施形態の光ファイバ接続箱４０は、基本的に第２の実施の形態と同様の構成を備えている。そのため、第２の実施の形態の光ファイバ接続箱３０と同一ないと同様の部分には同一の符号を付し、それらについての説明は省略する。
【００４８】
本実施形態は、光ファイバ接続箱４０は、余長部βａ，１２ａと融着接続部γとを収納する構造が第２の実施の形態と異なる。
【００４９】
光ファイバ接続箱４０は、図９〜図１１に示すように、収納板９Ａ，９Ｂを備えていない。それに代わって、光ファイバ接続箱４０は、筐体３２の内部に収納器４１を複数収納配置する。これら収納器４１は、上端が開放された箱型を有する器本体４１ａと、器本体４１ａの上端開口を開閉自在に覆う蓋４１ｂとを備える。器本体４１ａの側壁には、テープ心線βＡ，βＢの出入口として機能する挿通孔４２が貫通形成される。挿通孔４２は、器本体４１ａの側壁それぞれに互いに対向する位置に設けられる。
【００５０】
収納器４１は、光ファイバケーブルＡ１と光ファイバケーブルＡ２とを合わせたテープ心線βＡ，βＢの総数に応じて複数設けられる。これら複数の収納器４１は、筐体３２内に、互いに分離可能に積層固定される。複数の収納器４１を積層配置することで、接続する光ファイバケーブルＡ１，Ａ２の数が増えることに伴って収納器４１の数が増加することにも対応した状態で、これら収納器４１を筐体３２内に収納することができ、その分、光ファイバ接続箱４０の小型化が図れる。各収納器４１の内部には、巻回固定部１６ａと弾性把持部１６ｂとが設けられる。
【００５１】
次に、光ファイバケーブルＡ１，Ａ２から引き出されたテープ心線βＡ，βＢを、それぞれ連結用ファイバ１１Ａ，１１Ｂに接続する構造、および連結用ファイバ１１Ａ，１１Ｂを筐体３２に収納する構造について説明する。なお、第１，第２の接続箱構造３１Ａ，３１Ｂは互いに左右対称に配置されており、以下説明する構造についても左右対称な構造であって基本的には同一であるため、それらの構造を代表して、第１の接続箱構造３１Ａ側の構造（光ファイバケーブルＡ１から引き出されたテープ心線βＡを連結用ファイバ１１Ａに接続する構造、および連結用ファイバ１１Ａを筐体３２に収納する構造）について説明するが、第２の接続箱構造３１Ｂ（テープ心線βＢを連結用ファイバ１１Ｂに接続する構造、および連結用ファイバ１１Ｂを筐体３２に収納する構造）も同様の構造であるのはいうまでもない。
【００５２】
図９に示すように、ケーブル把持部６Ａａ付近において光ファイバケーブルＡ１から引き出されて筐体３２内に入り込むテープ心線βＡの余長部βＡａは、一方の挿通孔４２から収納器４１の一つに引き入れられたのち、その内部で巻回され、さらにその巻回状態が巻回固定部１６ａにより保持される。余長部βＡａの先端に設けられる融着接続部γＡは、弾性把持部１６ｂに保持される。融着接続部γから引き出される連結用テープ心線部１２Ａの余長部１２Ａａは、収納器４１内で巻回されたのちその巻回状態が巻回固定部１６ａにより保持される。余長部１２Ａａの端部は、他方の挿通孔４２から収納器４１の外部に引き出される。余長部１２Ａａの端部に設けられる樹脂シート１５Ａは筐体３２の収納面である底面に張着される。
【００５３】
樹脂シート１５Ａから延出する各連結用ファイバ心線１１Ａ１〜４の端部に設けられる光コネクタ２０は、アダプタ８の一端側の雌型連結部８ａに連結される。第２の接続箱構造３１Ｂにおいて同様に樹脂シート１５Ｂから延出する各連結用ファイバ心線１１Ｂ１〜４の端部に設けられた光コネクタ２１は、アダプタ８の他端側の雌型連結部８ａに連結される。これにより、光コネクタ２０と光コネクタ２１とは、アダプタ８を介して互いに接続された状態で光ファイバ接続箱４０に保持される。
【００５４】
以上の基本構成を踏まえて、本実施形態の光ファイバ接続箱４０の特徴となる構成を説明する。光ファイバ接続箱４０は、樹脂シート１５Ａ，１５Ｂの配置構成に第１の特徴がある。樹脂シート１５Ａ，１５Ｂは、筐体３２の収納面であるその底面からみた高さ方向において、収納器４１と光コネクタ２０，２１とに一部重なる位置に配置される。樹脂シート１５Ａ，１５Ｂを収納器４１に重ね配置するために、収納器４１の底部には、樹脂シート１５Ａ，１５Ｂを挿通させる切欠４１ｃが形成される。
【００５５】
以上の構成を備えることにより、樹脂シート１５Ａ，１５Ｂが筐体３２内で占める占有面積を小さくすることができ、その分、光ファイバ接続箱４０を小型化することが可能となる。樹脂シート１５Ａ，１５Ｂは、連結用光ファイバ１１Ａ，１１Ｂにおける分岐部位εを収納して保護する部材である。したがって、光ファイバ接続箱４０により接続する光ファイバケーブルＡ１，Ａ２の本数が増加することに伴って連結用光ファイバ１１Ａ，１１Ｂの本数が増加すると、分岐部位εの数が増加し、これによって樹脂シート１５Ａ，１５Ｂの大きさ（面積）も大きくならざるを得ない。
【００５６】
上述した本実施形態の説明に供する図では、構造を簡略化するために、光ファイバケーブルＡ１，Ａ２の本数をそれぞれ２本とした。しかしながら、実際の使用形態において一つの光ファイバ接続箱４０で接続する光ファイバケーブルＡ１，Ａ２の本数は、その収納効率等から鑑みて、さらに多数となる場合が多い。そのような接続構造となる光ファイバ接続箱４０では、樹脂シート１５Ａ，１５Ｂの大きさ（面積）は格段に大きくならざるを得ない。そのため、樹脂シート１５Ａ，１５Ｂの収納面積を小さくできる本実施形態は、光ファイバ接続箱４０を小型するうえで有効なものとなる。
【００５７】
なお、上述した本実施の形態の説明および図面では、収納器４１や光コネクタ２０Ａ，２０Ｂに重なる位置に樹脂シート１５Ａ，１５Ｂを配置することで光ファイバ接続箱４０の小型化を図った。しかしながら、樹脂シート１５Ａ，１５Ｂの大きさが大きくなる場合には、図９，図１０において仮想線で示すように、
・アダプタ８、
・アダプタ８を筐体３２に連結する連結部４３、
・ケーブル把持器６Ａ，６Ｂ、
と筐体３２の高さ方向で重なる位置に、樹脂シート１５Ａ，１５Ｂを配置してもよく、そうすれば、筐体３２内の収納面積全体において、樹脂シート１５Ａ，１５Ｂの収納だけに要する面積が占める比率（占有率）を小さくすることができ、しかも、その占有率を大幅に小さくすることが可能となる。
【００５８】
なお、このような小型化を図るうえでは、樹脂シート１５Ａ，１５Ｂを、
・収納器４１、
・光コネクタ２０Ａ，２０Ｂ、
・アダプタ８、
・アダプタ８を筐体３２に連結する連結材４３、
・ケーブル把持器６Ａ，６Ｂ、
のうちの少なくとも一つと筐体３２の高さ方向で重なる位置に配置すればよい。
【００５９】
次に本実施形態の第２の特徴を説明する。光ファイバ接続箱４０は、アダプタ８と樹脂シート１５Ａ，１５Ｂとの間の相対位置関係に第２の特徴を有している。
【００６０】
筐体３２内において、図１２に示すように、樹脂シート１５Ａ，１５Ｂから連結用光ファイバ１１Ａ１〜４，１１Ｂ１〜４の出線する方向を出線方向Ｘ（Ａ），Ｘ（Ｂ）と規定する。光コネクタ２０，２１それぞれに応じて設けられた雌型連結部８ａの光コネクタ挿入方向を光コネクタ挿入方向Ｙ（Ａ），Ｙ（Ｂ）と規定する。そうすると、出線方向Ｘと、光コネクタ挿入方向Ｙとが成す角度∠ＸＹ（Ａ），  ∠ＸＹ（Ｂ）が、∠ＸＹ＝１８０度となるように、樹脂シート１５Ａ，１５Ｂとアダプタ８とは、筐体３２内に配置される。これにより、全ての連結用光ファイバ心線１１Ａ１〜４，１１Ｂ１〜４において接続のために必然的に生じるファイバ湾曲部位を１つとした状態で、光コネクタ２０，２１を、アダプタ８の雌型連結部８ａに接続することができる。連結用光ファイバ１１Ａ１〜４，１１Ｂ１〜４を筐体３２内で引き回すのに要するスペースを可及的に小さくすることができ、その分、筐体３２内での部品収納効率が向上する。
【００６１】
上述した第２の実施の形態，第３の実施の形態では、第１の接続箱構造３１Ａと、第２の接続箱構造３１Ｂとを設けた構成において本発明を実施した。すなわち、光ファイバケーブルＡ１，Ａ２からそれぞれ引き出したテープ心線βＡとテープ心線βＢとを、連結用光ファイバ１１Ａ，１１Ｂとアダプタ８とを介して接続する構成において、本発明を実施した。しかしながら、第２の接続箱構造３１Ｂの構造を次のように変更した装置においても本発明を実施することができる。
【００６２】
第２の接続箱構造３１Ｂにおいて、アダプタ８（雌型連結部８ａ）に接続する光コネクタ２１から引き出す連結用光ファイバ心線１１Ｂ１〜４を単線の光ファイバコード化する。そして、単線の光ファイバコード化した連結用光ファイバ心線１１Ｂ１〜４を直接光ファイバ接続箱から外部に取り出す。このように構造を変更した第２の接続箱構造３１Ｂ’を備えた光ファイバ接続箱においても本発明を実施することができる。
【００６３】
【発明の効果】
以上説明したように、本発明によれば、光ファイバ接続箱内における連結用光ファイバやその接続部位の収納効率を向上させることができてその分、高密度収納が実現できる。
【図面の簡単な説明】
【図１】本発明の光ファイバ接続箱の概略構成を示す図。
【図２】本発明の第１の実施の形態の光ファイバ接続箱の構造を断面で示す平面図。
【図３】第１の実施の形態の光ファイバ接続箱の構造を、図２とは位置の異なる断面で示す平面図。
【図４】図３のイ−イ線断面図。
【図５】樹脂シートの構造を示す一部切欠平面図。
【図６】本発明の第２の実施の形態の光ファイバ接続箱の構造を断面で示す平面図。
【図７】第２の実施の形態の光ファイバ接続箱の構造を、図６とは位置の異なる断面で示す平面図。
【図８】図７のロ−ロ線断面図。
【図９】本発明の第３の実施の形態の光ファイバ接続箱の構造を断面で示す平面図。
【図１０】第３の実施の形態の光ファイバ接続箱の構造を、図９とは位置の異なる断面で示す平面図。
【図１１】第３の実施の形態の一部切欠正面図。
【図１２】連結用光ファイバ心線群の出線方向Ｘと、光コネクタの接続挿入方向Ｙとが成す角度∠ＸＹの説明に供する図。
【符号の説明】
α  光ファイバ心線              β  テープ心線
βａ  余長部                    γ  融着接続部
ε  分岐部位                      Ａ  光ファイバケーブル
Ａａ  テープ心線接続端          １  光ファイバ接続箱
２  筐体                        ３  収納箱
３ａ  一側壁面                  ３ｂ，３ｃ  開口
４  蓋箱                        ６  ケーブル把持器
７  テンションメンバ                ８  アダプタ
８ａ  雌型連結部                  ９  収納板
１１  連結用光ファイバ                      １１１〜ｎ  連結用光ファイバ心線
１２  連結用光テープ心線部              １２ａ  余長部
１３  連結用光ファイバ心線群          １３ａ  余長部
１４  樹脂チューブ                              １５  樹脂シート
１５ａ，１５ｂ  樹脂シート材      １６  第１の収納器
１６ａ  巻回固定部              １６ｂ  弾性把持部
１７  第２の収納器                １７ａ  巻回固定部
２０  光コネクタ                  ２１  光コネクタ
３０  光ファイバ接続箱      ３１Ａ  第１の接続箱構造
３１Ｂ  第２の接続箱構造          ３２  筐体
４０  光ファイバ接続箱          ４１  収納器
４２  挿通孔
【図１】
2005043406.tif 000003
【図２】
2005043406.tif 000004
【図３】
2005043406.tif 000005
【図４】
2005043406.tif 000006
【図５】
2005043406.tif 000007
【図６】
2005043406.tif 000008
【図７】
2005043406.tif 000009
【図８】
2005043406.tif 000010
【図９】
2005043406.tif 000011
【図１０】
2005043406.tif 000012
【図１１】
2005043406.tif 000013
【図１２】
2005043406.tif 000014